(57)【要約】【課題】本発明は、液体の逆戻りを抑制した吸収性物品を提供することを目的とする。【解決手段】本発明は、吸収性物品であって、トップシートと、バックシートと、トップシートとバックシートとの間に配置され、トップシート側に配置された上層吸収体と、バックシート側に配置された下層吸収体とを、有する吸収体と、上層吸収体を厚さ方向に貫通して形成され、吸収体の長手方向に延びる上層開口部と、下層吸収体を厚さ方向に貫通して形成され、上層開口部と重なって長手方向に延び、上層開口部よりも幅が狭い下層開口部と、吸収体の全体を包むコアラップシートと、コアラップシートの上層面部のうち上層開口部及び下層開口部に重なる部分が上層開口部及び下層開口部を通って下層面部に接合される接合部と、を備える。【選択図】図２
2020089476.tif 000002
【特許請求の範囲】
【請求項１】
肌対向面側に配置された液透過性のトップシートと、
前記肌対向面の反対側に配置された液不透過性のバックシートと、
前記トップシートと前記バックシートとの間に配置され、前記トップシート側に配置された上層吸収体と、前記バックシート側に配置された下層吸収体とを、有する吸収体と、
前記上層吸収体を厚さ方向に貫通して形成され、前記吸収体の長手方向に延びる上層開口部と、
前記下層吸収体を厚さ方向に貫通して形成され、前記上層開口部と重なって前記長手方向に延び、前記上層開口部よりも幅が狭い下層開口部と、
前記吸収体の全体を包むコアラップシートと、
前記コアラップシートの上層面部のうち前記上層開口部及び前記下層開口部に重なる部分が前記上層開口部及び前記下層開口部を通って前記コアラップシートの下層面部に接合される接合部と、
を備え、
前記上層面部は、前記トップシートと前記上層吸収体との間に配置されており、
前記下層面部は、前記バックシートと前記下層吸収体との間に配置されており、
前記トップシートのうち前記上層開口部及び前記下層開口部に重なる部分は、前記上層開口部及び前記下層開口部を通って前記接合部に接合されている、
吸収性物品。
【請求項２】
前記吸収体の幅方向において、前記上層開口部の一端部から他端部の方向に前記下層吸収体の一端部が５ｍｍ以上延在している、
請求項１に記載の吸収性物品。
【請求項３】
前記上層吸収体には、高吸収性重合体が含まれている、
請求項１又は２に記載の吸収性物品。
【請求項４】
前記上層吸収体と前記下層吸収体との間に配置され、高吸収性重合体の粒子を複数含むＳＡＰ層を更に備える、
請求項１から３のいずれか一項に記載の吸収性物品。
【請求項５】
前記コアラップシートは、前記上層吸収体側に配置された上層シートと、前記下層吸収体側に配置された下層シートと、を有し、
前記上層面部は、前記上層シートに含まれており、
前記下層面部は、前記下層シートに含まれている、
請求項１から４のいずれか一項に記載の吸収性物品。
【発明の詳細な説明】
【技術分野】
【０００１】
本発明は、吸収性物品に関する。
【背景技術】
【０００２】
使い捨ておむつ、吸収性パッド（尿パッド）、生理用品等の吸収性物品が知られている。吸収性物品は、パルプや高吸収性重合体（Ｓｕｐｅｒ  Ａｂｓｏｒｂｅｎｔ  Ｐｏｌｙｍｅｒ：ＳＡＰ）により形成され、尿や体液等の液体を吸収する吸収体を備えている。特許文献１には、上層吸収体及び下層吸収体を備え、上層吸収体及び下層吸収体に開口部が形成された吸収性物品が記載されている。当該吸収性物品において、上層吸収体及び下層吸収体の全体が、薄葉紙や不織布等で形成されたシートで包まれている。
【先行技術文献】
【特許文献】
【０００３】
【特許文献１】国際公開第２０１６／１１４２０９号
【発明の概要】
【発明が解決しようとする課題】
【０００４】
吸収性物品では、液体の拡散性を高めるために吸収体に開口部が形成される場合がある。しかしながら、上層吸収体及び下層吸収体の全体がシートで包まれていると、尿等の液体が当該シート表面を伝わって拡散されてしまい、開口部に液体が流れ込まず、開口部で液体を拡散できなくなってしまう虞がある。このため、開口部による液体の拡散性が十分に発揮されていないという問題が生じている。開口部による液体の拡散性が十分に発揮されないと、上層吸収体及び下層吸収体の全体で液体を吸収することができず、液体が装着者の肌に逆戻りしてしまう虞がある。
【０００５】
そこで、本発明は、液体の逆戻りを抑制した吸収性物品を提供することを目的とする。
【課題を解決するための手段】
【０００６】
上記課題を解決するため、本発明は、コアラップシートの上層面部のうち上層開口部及び下層開口部に重なる部分が上層開口部及び下層開口部を通ってコアラップシートの下層面部に接合される接合部を備えている。
【０００７】
詳細には、本発明は、吸収性物品であって、肌対向面側に配置された液透過性のトップシートと、前記肌対向面の反対側に配置された液不透過性のバックシートと、前記トップシートと前記バックシートとの間に配置され、前記トップシート側に配置された上層吸収体と、前記バックシート側に配置された下層吸収体とを、有する吸収体と、前記上層吸収体を厚さ方向に貫通して形成され、前記吸収体の長手方向に延びる上層開口部と、前記下層吸収体を厚さ方向に貫通して形成され、前記上層開口部と重なって前記長手方向に延び、前記上層開口部よりも幅が狭い下層開口部と、前記吸収体の全体を包むコアラップシートと、前記コアラップシートの上層面部のうち前記上層開口部及び前記下層開口部に重なる部分が前記上層開口部及び前記下層開口部を通って前記コアラップシートの下層面部に接合される接合部と、を備え、前記上層面部は、前記トップシートと前記上層吸収体との間に配置されており、前記下層面部は、前記バックシートと前記下層吸収体との間に配置されており、前記トップシートのうち前記上層開口部及び前記下層開口部に重なる部分は、前記上層開口部及び前記下層開口部を通って前記接合部に接合されている。
【０００８】
上記の吸収性物品では、前記吸収体の幅方向において、前記上層開口部の一端部から他
端部の方向に前記下層吸収体の一端部が５ｍｍ以上延在していてもよい。
【０００９】
上記の吸収性物品では、前記上層吸収体には、高吸収性重合体が含まれていてもよい。
【００１０】
上記の吸収性物品は、前記上層吸収体と前記下層吸収体との間に配置され、高吸収性重合体の粒子を複数含むＳＡＰ層を更に備えていてもよい。
【００１１】
上記の吸収性物品では、前記コアラップシートは、前記上層吸収体側に配置された上層シートと、前記下層吸収体側に配置された下層シートと、を有し、前記上層面部は、前記上層シートに含まれており、前記下層面部は、前記下層シートに含まれていてもよい。
【発明の効果】
【００１２】
本発明によれば、液体の逆戻りを抑制可能である。
【図面の簡単な説明】
【００１３】
【図１】図１は、実施形態に係る吸収性パッドの平面図である。
【図２】図２は、実施形態に係る吸収性パッドの断面図である。
【図３】図３は、比較例に係る吸収性パッドの断面図である。
【図４】図４は、吸収性パッドの逆戻り量測定試験結果を示す表である。
【発明を実施するための形態】
【００１４】
以下、本発明の実施形態について説明する。以下に示す実施形態は、本発明の実施形態の一例であり、本発明の技術的範囲を以下の態様に限定するものではない。
【００１５】
＜実施形態＞
図１は、吸収性パッド（本願でいう「吸収性物品」の一例である）を肌対向面側から見た平面図である。吸収性パッド１は、尿等の液体を吸収して保持するために用いられ、単独でも使用することができるし、使い捨ておむつの内側に重ねて使用することもできる。吸収性パッド１は、長手方向に見て、装着者（着用者）の陰部を覆う股下領域５と、装着者の腹部側に位置する前身頃領域３と、装着者の背部側に位置する後身頃領域７とに区分される。なお、長手方向に直交する方向が吸収性パッド１の幅方向（短手方向）となる。吸収性パッド１は、平面視において、股下領域５に最も狭い横幅を有しており、股下領域５がくびれたひょうたん形状を有している。
【００１６】
なお、以下では、吸収性パッド１を長手方向に見た場合に、相対的に前身頃領域３側を「前」や「前側」や「前方」と称し、相対的に後身頃領域７側を「後」や「後側」や「後方」と称し、後側から前側に向かって相対的に左側を「左」や「左側」や「左方」と称し、後側から前側に向かって相対的に右側を「右」や「右側」や「右方」と称する。なお、吸収性パッド１の前後方向は長手方向となり、吸収性パッド１の左右方向は幅方向となる。また、前後左右方向に直交する方向が吸収性パッド１の厚さ方向（高さ方向）となる。
【００１７】
図１に示すように、吸収性パッド１は、装着状態における肌対向面側に配置されたトップシート１１を備えている。トップシート１１は、吸収性パッド１の装着状態において装着者の肌に接する部分（肌対向面）であり、尿等の液体を透過する液透過性の材料で形成されている。トップシート１１には、具体的には、織布、不織布、多孔性フィルム等が用いられる。なお、不織布には、ポリプロピレン、ポリエチレン、ポリエステル、ナイロン等の熱可塑性樹脂の繊維を親水化処理したものを用いてもよいし、エアスルー不織布、ポイントボンド不織布、スパンボンド不織布、メルトブロー不織布等を用いてもよい。
【００１８】
また、吸収性パッド１は、装着状態における肌対向面の反対側に配置されたバックシー
ト１３を備えている。バックシート１３は、肌対向面と反対の肌非対向面（外表面）となる部分であり、尿等の液体を透過しない液不透過性の材料で形成されている。バックシート１３には、具体的には、ポリエチレン樹脂で形成された液不透過性のフィルムが用いられる。なお、バックシート１３には、液不透過性を維持しつつ装着状態での蒸れを防ぐための通気性を得るために、０．１〜４μｍの微細な孔が複数形成された微多孔性ポリエチレンフィルムを用いることが好ましい。
【００１９】
トップシート１１とバックシート１３とは、夫々の周縁部が互いに接合されている。また、吸収性パッド１は、トップシート１１とバックシート１３との間に配置され、尿などの液体を吸収する吸収体１４を備えている。吸収体１４は、トップシート１１側に配置された上層吸収体１５と、バックシート１３側に配置された下層吸収体１７とを有している。上層吸収体１５は、平面視において、吸収性パッド１と概ね同じひょうたん形状を有している。下層吸収体１７は、トップシート１１側から見て上層吸収体１５の下方に配置されており、平面視において、吸収性パッド１の長手方向が長辺となる長方形状を有している。また、平面視において、上層吸収体１５は、下層吸収体１７よりも大きく形成されている。吸収性パッド１は、尿等の液体が排泄されたときに相対的に大きく、トップシート１１側に配置された上層吸収体１５により尿を迅速に吸収することができる。なお、吸収体１４の長手方向は、上層吸収体１５及び下層吸収体１７の長手方向であって、吸収性パッド１の長手方向と一致している。また、吸収体１４の幅方向は、上層吸収体１５及び下層吸収体１７の幅方向であって、吸収性パッド１の幅方向と一致している。
【００２０】
上層吸収体１５及び下層吸収体１７には、針葉樹等の繊維材料を解砕して得られるフラッフパルプや、高吸収性重合体（Ｓｕｐｅｒ  Ａｂｓｏｒｂｅｎｔ  Ｐｏｌｙｍｅｒ：ＳＡＰ）、親水性シート等やこれらを組み合わせたものが用いられる。また、ＳＡＰは、自重の１００〜１０００倍程度の液体を吸収する。ＳＡＰには、例えば、液体吸収前の状態において０．１〜０．５ｍｍ程度の直径を有する粒状のものが用いられる。
【００２１】
また、吸収性パッド１は、上層吸収体１５を厚さ方向に貫通して形成され、吸収体１４の長手方向に延びる上層開口部２１を備えている。上層開口部２１は、上層吸収体１５の幅方向略中央に形成されている。平面視において、上層開口部２１は、長手方向の各端部が円弧状に形成された長方形状を有している。上層開口部２１の前側の端部は、前身頃領域３の中程に位置し、上層開口部２１の後側の端部は、後身頃領域７の前部に位置している。また、上層開口部２１は、一定の幅ｗ１を有している。例えば、幅ｗ１は、２０ｍｍ以上、３５ｍｍ以下である。また、上層開口部２１の長さは、例えば、１５５ｍｍ以上、３５０ｍｍ以下に形成されている。
【００２２】
また、吸収性パッド１は、下層吸収体１７を厚さ方向に貫通して形成され、上層開口部２１と重なって吸収体１４の長手方向に延びる下層開口部２２を備えている。下層開口部２２は、下層吸収体１７の幅方向略中央に形成されている。平面視において、下層開口部２２は、長手方向の各端部が円弧状に形成された長方形状を有している。下層開口部２２の幅方向の中心は、上層開口部２１の幅方向の中心と略一致している。また、下層開口部２２の前側の端部は、前身頃領域３の中程に位置し、下層開口部２２の後側の端部は、後身頃領域７の前部に位置している。また、下層開口部２２は、一定の幅ｗ２を有している。幅ｗ２は、幅ｗ１よりも狭く、例えば、２５ｍｍ以上、１５ｍｍ以下である。このように下層開口部２２は、上層開口部２１よりも幅が狭く形成されている。また、下層開口部２２の長さは、例えば、１３５ｍｍ以上、３３０ｍｍ以下に形成されている。この場合、吸収性パッド１は大人用尿パッドに適している。上記のような大きさの上層開口部２１及び下層開口部２２を備えた吸収性パッド１は大人用尿パッドに適している。なお、図１に示すように、上層開口部２１の方が下層開口部２２よりも長く形成されており、長手方向に見て、上層開口部２１の長さ内に下層開口部２２が含まれている。
【００２３】
本実施形態に係る吸収性パッド１は、肌対向面側から見て、上層開口部２１と下層開口部２２とが重なっており、上層開口部２１と下層開口部２２とで吸収体１４を厚さ方向に貫通する貫通型の開口部が形成されている。なお、上層開口部２１及び下層開口部２２は、平面視において、長方形状ではなく、その他の多角形状や楕円形状に形成されていてもよい。
【００２４】
また、上層吸収体１５の左側端部から右側端部の方向に下層吸収体１７の左側端部がｗ３ｍｍ以上延在している。同様に、上層吸収体１５の右側端部から左側端部の方向に下層吸収体１７の右側端部がｗ３ｍｍ以上延在している。このように、吸収体１４の幅方向において、上層開口部２１の一端部から他端部の方向に下層吸収体１７の一端部がｗ３ｍｍ以上延在している。ｗ３ｍｍは、好ましくは５ｍｍ以上である。
【００２５】
上層開口部２１及び下層開口部２２は、装着者が排泄した尿が流入し易いように、装着者の尿道口が当接する位置（尿道口当接位置）に対応して形成されていてもよい。尿道口当接位置は、上層吸収体１５の後側端部から前方に上層吸収体１５の長手方向の長さの６０％の位置に規定される。例えば、上層吸収体１５の長手方向の長さが５００ｍｍである場合、上層吸収体１５の後側端部から前方に３００ｍｍの位置が尿道口当接位置に規定される。なお、股下領域５の左右両端部に円弧状に切り抜いたＲカットが形成されており、Ｒカット形成部の前後方向の長さが３０ｍｍ以内であって、上層吸収体１５の幅方向の最狭部が当該Ｒカットの形成された部分である場合には、当該最狭部の左端と右端とを結ぶ直線と上層吸収体１５の幅方向中央部を通る直線との交点を尿道口当接位置に規定してもよい。
【００２６】
装着者によって排泄された尿等の液体は、上層開口部２１及び下層開口部２２に沿って吸収体１４の全体に拡散される。このように、本実施形態に係る吸収性パッド１は、上層開口部２１及び下層開口部２２により液体を吸収体１４の全体に拡散し、上層吸収体１５及び下層吸収体１７の両方の吸収体によって、液体を吸収して保持することができる。
【００２７】
また、吸収性パッド１は、上層吸収体１５と下層吸収体１７との間に配置されたＳＡＰ層２３Ｌ、２３Ｒを有している。ＳＡＰ層２３Ｌ、２３Ｒは、高吸収性重合体（ＳＡＰ）の粒子が複数集まって形成されている。ＳＡＰ層２３Ｌ、２３Ｒは、ＳＡＰの粒子を複数含み、上層吸収体１５と下層吸収体１７との間に導かれた液体を吸収して保持することができる。図１に示すように、上層開口部２１及び下層開口部２２の左方にはＳＡＰ層２３Ｌが配置され、上層開口部２１及び下層開口部２２の右方にはＳＡＰ層２３Ｒが配置されている。このように、ＳＡＰ層２３Ｌ、２３Ｒは、上層開口部２１及び下層開口部２２の長手方向に沿うように上層開口部２１及び下層開口部２２の両側に配置されている。また、平面視において、ＳＡＰ層２３Ｌ、２３Ｒは、長方形状に形成されている。なお、ＳＡＰ層２３Ｌ、２３Ｒは、平面視において、長方形状ではなく、その他の多角形状や楕円形状に形成されていてもよい。吸収性パッド１は、ＳＡＰ層２３Ｌ、２３Ｒを設けることにより、全体として液体の吸収量を増加させることができる。
【００２８】
ＳＡＰ層２３Ｌは、上層開口部２１の左側端部よりｗ４ｍｍ外側から上層吸収体１５の左側端部よりｗ５ｍｍ内側までに配置されている。同様に、ＳＡＰ層２３Ｒは、上層開口部２１の右側端部よりｗ４ｍｍ外側から上層吸収体１５の右側端部よりｗ５ｍｍ内側までに配置されている。このように、ＳＡＰ層２３Ｌ、２３Ｒは、上層開口部２１の幅方向の両端部よりｗ２ｍｍ外側から上層吸収体１５の幅方向の端部よりｗ３ｍｍ内側までに配置されている。ｗ４ｍｍは、例えば、１０ｍｍであり、ｗ５ｍｍは、例えば、１０ｍｍである。また、ＳＡＰ層２３Ｌ、２３Ｒは、上層開口部２１及び下層開口部２２よりも長く、ＳＡＰ層２３Ｌ、２３Ｒの長手方向における長さ内に上層開口部２１及び下層開口部２２
の長手方向における長さが含まれている。
【００２９】
このように、上層吸収体１５、下層吸収体１７、上層開口部２１、下層開口部２２及びＳＡＰ層２３Ｌ、２３Ｒの長手方向は一致している。また、上層開口部２１と下層開口部２２とＳＡＰ層２３Ｌ、２３Ｒとは、互いに略平行に配置されている。
【００３０】
また、吸収性パッド１は、肌対向面側から見て下層吸収体１７の左右端部に沿って立体ギャザー（不図示）が配置されている。立体ギャザーは、トップシート１１に接合されており、液体の横漏れを抑制する。
【００３１】
図２は、図１に示す吸収性パッド１をＡ−Ａ線で切断した断面図である。なお、図２において、吸収性パッド１の各構成要素を分かりやすくするために、各構成要素間に隙間を設けて図示しているが、実際には各構成要素間には隙間はほとんど形成されない。
【００３２】
図２に示すように、本実施形態に係る吸収性パッド１は、吸収体１４の全体を包むコアラップシート３０（図１において不図示）を備えている。吸収性パッド１は、コアラップシート３０の上層面部のうち上層開口部２１及び下層開口部２２に重なる部分が上層開口部２１及び下層開口部２２を通って下層面部に接合される接合部３５を備えている。コアラップシート３０の上層面部は、トップシート１１と上層吸収体１５との間に配置された部分であり、コアラップシート３０の下層面部は、バックシート１３と下層吸収体１７との間に配置された部分である。より具体的には、図２に示すように、コアラップシート３０は、上層吸収体１５側に配置された上層シート３１と、下層吸収体１７側に配置された下層シート３３と、を有している。上層シート３１は、トップシート１１と上層吸収体１５との間に配置されており、下層シート３３は、バックシート１３と下層吸収体１７との間に配置されている。また、下層シート３３は、上層吸収体１５及び下層吸収体１７の側面部を被覆する部分を有して、トップシート１１と上層吸収体１５との間まで引き回されており、トップシート１１と上層吸収体１５との間において上層シート３１に接合されている。このように、上層シート３１と下層シート３３は互いに接合されて一体的となっており、上層吸収体１５及び下層吸収体１７の全体を包んでいる。上層シート３１、下層シート３３には、例えば、ティッシュペーパーのような薄葉紙や不織布等が用いられる。なお、上層シート３１と下層シート３３は、一体的に形成されていてもよいし、上層吸収体１５や下層吸収体１７の側面や、バックシート１３と下層吸収体１７との間で接合されていてもよい。図２に示す本実施形態では、コアラップシート３０の上層面部は、上層シート３１に含まれており、コアラップシート３０の下層面部は、下層シート３３に含まれている。
【００３３】
また、上層シート３１のうち上層開口部２１及び下層開口部２２に重なる部分が上層開口部２１及び下層開口部２２を通って下層シート３３に接合されている。本実施形態に係る吸収性パッド１は、上層シート３１と下層シート３３とが接合された接合部３５を備えている。上層開口部２１及び下層開口部２２の長手方向に沿って下層開口部２２の長手方向全体に亘って上層シート３１と下層シート３３とが接合されて接合部３５が形成されている。図２では、接合部３５を円状の点線で囲んで示している。なお、接合部３５は、下層開口部２２の長手方向の一部に形成されていてもよい。
【００３４】
また、図２に示すように、トップシート１１のうち上層開口部２１及び下層開口部２２に重なる部分は、上層開口部２１及び下層開口部２２を通って接合部３５に接合されていてもよい。この構成の吸収性パッド１によれば、尿等の液体を上層開口部２１上のトップシート１１に沿って上層開口部２１及び下層開口部２２に導入することができ、上層開口部２１及び下層開口部２２による液体の拡散性を十分に発揮することができる。これにより、本実施形態に係る吸収性パッド１は、上層開口部２１及び下層開口部２２により液体
を吸収体１４の全体に拡散させることができ、以て、液体が装着者の肌に逆戻りするのを抑制することができる。
【００３５】
また、図２に示すように、ＳＡＰ層２３Ｌ、２３Ｒは、下層吸収体１７上にＳＡＰの粒子を散布することにより形成される。また、ＳＡＰ層２３Ｌ、２３Ｒは、上層吸収体１５と下層吸収体１７との間に挟持されている。このため、装着者の動作により吸収性パッド１が動いた場合であってもＳＡＰ層２３Ｌ、２３Ｒに含まれるＳＡＰの粒子が上層開口部２１の下方に移動したり、下層吸収体１７外に落ちたりするのを防ぐことができる。
【００３６】
このように、本実施形態に係る吸収性パッド１は、肌対向面側から厚さ方向に見て、トップシート１１、上層シート３１、下層シート３３の一部、上層吸収体１５、ＳＡＰ層２３Ｌ、２３Ｒ、下層吸収体１７、接合部３５、下層シート３３の一部、バックシート１３の順に積層された構造を有している。また、トップシート１１及びバックシート１３の各周縁部が互いに接合されることにより、上層シート３１、下層シート３３、上層吸収体１５、ＳＡＰ層２３Ｌ、２３Ｒ及び下層吸収体１７がトップシート１１及びバックシート１３により周囲が囲まれて封止されている。
【００３７】
ところで、上記特許文献１に記載された吸収性パッドにおいては、液体の拡散性を高めるために上層吸収体及び下層吸収体を厚さ方向に貫通する貫通型の開口部が形成されている。さらに、当該吸収性パッドでは、上層吸収体及び下層吸収体の全体が薄葉紙や不織布等で形成されたシートで包まれている。この場合、尿等の液体が当該シート表面を伝わって拡散されてしまい、開口部に液体が流れ込まず、開口部で液体を拡散できなくなってしまう虞がある。このため、開口部による液体の拡散性が十分に発揮されていないという問題が生じている。開口部による液体の拡散性が十分に発揮されないと、上層吸収体及び下層吸収体の全体で液体を吸収することができず、液体が装着者の肌に逆戻りしてしまう虞がある。
【００３８】
一方、本実施形態に係る吸収性パッド１は、上層シート３１のうち上層開口部２１及び下層開口部２２に重なる部分が上層開口部２１及び下層開口部２２を通って下層シート３３に接合される接合部３５と、を備えている。これにより、本実施形態に係る吸収性パッド１は、尿等の液体を上層シート３１に沿って上層開口部２１及び下層開口部２２に導入することができ、上層開口部２１及び下層開口部２２により液体を吸収体１４の全体に拡散させて、液体が装着者の肌に逆戻りするのを抑制することができる。
【００３９】
次に、吸収性パッドにおける逆戻り量測定試験（以下、「試験」と称する）によって本実施形態に係る吸収性パッド１の逆戻り抑制効果について評価した。当該試験における準備物は、試験板（１６ｃｍ×１６ｃｍ、鉄製、厚さ１０ｍｍ）、人工尿及び濾紙（８０ｍｍ×８０ｍｍ）である。試験板は、中央に円形の孔（径４０ｍｍ）が形成されている。
【００４０】
次いで、吸収性パッドを皺の無い状態に広げて固定する。固定には、ガムテープやフックテープが用いられる。吸収性パッドは、作業者側に後身頃領域が対向するように固定される。
【００４１】
次いで、吸収性パッドの上層開口部の長手方向の中央に油性ペン等で印を記入する。当該印が試験板の孔の中央に位置するように試験板を吸収体パッド上に設置する。次いで、人工尿を電子天秤で計測し、人工尿１５０ｍｌを準備する。人工尿は、蒸留水１０００ｍＬに対して、尿素２０ｇ、塩化ナトリウム８ｇ、硫酸マグネシウム７水和物０．８ｇ、塩化カルシウム２水和物０．３ｇを溶解させて調製した。準備した人工尿をポリカップに注ぎ、吸収性パッドの当該印に向けて人工尿１５０ｍｌを注入する。吸収性パッドが人工尿を全て吸収したら試験板を吸収性パッド上から外す。なお、吸収性パッドに注いだ人工尿
の全てがトップシート上から無くなった時が吸収性パッドが人工尿を全て吸収した時である。吸収性パッドへの１回目の人工尿注入から１１分後に上記と同様に試験板を吸収性パッド上に設置し、１回目の人工尿注入から１１分後に再び人工尿１４０ｍｌを上記と同様に吸収性パッドに注入する。この工程をあと１回繰り返して、吸収性パッドに人工尿１５０ｍｌを３回に分けて注入する。これにより、合計で４３０ｍｌの人工尿を吸収性パッドに注入する。
【００４２】
３回目に人工尿を吸収性パッドに注入してから９分経過後に、試験板の孔の中心が位置した場所が中心になるように、６０ｇ分の濾紙束、重りの順に乗せて吸収性パッドを加圧する。これにより、濾紙束に人工尿を吸収させる。次いで、４分経過後に、重りを吸収性パッド上から外して、濾紙束の重さを電子天秤で計測する。濾紙束が吸収した量の人工尿が逆戻り量となる。人工尿吸収後の濾紙束の重さから準備段階における濾紙束の重さを減算することにより、逆戻り量が測定される。なお、濾紙束の１番上の濾紙が人工尿で濡れている場合には、濾紙束全体の吸収量上限を逆戻り量が超えたことになり正確な逆戻り量が測定できないので、濾紙束の濾紙の枚数を増やして、上記試験を再度やり直す。逆戻り量が４５ｇを超えると、排尿後に吸収性パッドに装着者の体重がかかった場合に、逆戻りした尿が立体ギャザーと肌との隙間等から漏れてしまう可能性があるため、逆戻り量が４５ｇ以下である場合に、逆戻りが抑制されているとする。
【００４３】
また、本試験では、図２に示すように、トップシート１１とコアラップシート３０が接合されている吸収性パッドと、図３に示す比較例に係る吸収性パッド１００とを準備した。図３に示すように、比較例に係る吸収性パッド１００は、トップシート１１がコアラップシート３０（接合部３５）に接合されていない。
【００４４】
図４は、本試験結果を示す表である。本試験では、トップシート１１とコアラップシート３０が接合されている図２に示す構成の吸収性パッドと、トップシート１１がコアラップシート３０に接合されていない図３に示す構成の吸収性パッドとをそれぞれ６種類ずつ（合計１２種類）準備した。各吸収性パッドにおいて、下層吸収体の延在寸法を０ｍｍ、５ｍｍ、１０ｍｍとして、ＳＡＰ層２３Ｌ、２３Ｒを設けたものと、ＳＡＰ２３Ｌ、２３Ｒを設けなかったものとをそれぞれ準備した。下層吸収体の延在寸法とは、図１〜図３においてｗ３で示す寸法である。図４の表の「ＳＡＰ層」の欄において、「有」の表記はＳＡＰ層２３Ｌ、２３Ｒを設けたことを示し、「無」の表記はＳＡＰ層２３Ｌ、２３Ｒを設けなかったことを示している。
【００４５】
図４の表の「逆戻り抑制」の欄は、各吸収性パッドが逆戻りを抑制できたか否かを示している。当該欄の「◎」、「〇」は、逆戻りを抑制できた結果を示している。より具体的には、当該欄の「◎」は、逆戻り量が３５ｇ以下であって逆戻りを抑制できた結果を示している。当該欄の「〇」は、逆戻り量が４５ｇ以下であって逆戻りを抑制できた結果を示している。また、当該欄の「△」、「×」は、逆戻りを抑制できなかった結果を示している。より具体的には、当該欄の「△」は、逆戻り量が４６ｇ以上、５０ｇ以下であって逆戻りを抑制できなかった結果を示している。当該欄の「×」は、逆戻り量が５１ｇ以上であって逆戻りを抑制できなかった結果を示している。
【００４６】
図４の表から読み取れるように、シートの接合状態が図２に示す構成では、下層吸収体の延在寸法は、０ｍｍより大きくするのが好ましく、５ｍｍ以上、１０ｍｍ以下とすると逆戻りを抑制することができた。このように、下層吸収体の延在寸法は、０ｍｍ以上とするのが好ましく、５ｍｍ以上、１０ｍｍ以下の範囲がより好適である。なお、図４の表の逆戻り抑制の結果を「◎」で示すように、ＳＡＰ層を設けることで最も逆戻り抑制をできる。
【００４７】
図４に示すように、「シートの接合状態」が図２に示す構成であって、下層吸収体の延在寸法が「５ｍｍ」、「１０ｍｍ」である場合には、ＳＡＰ層の有無に関わらず、逆戻りを抑制することができた。このことから、下層吸収体の延在寸法（ｗ３）は５ｍｍ以上であることがより好適である。
【００４８】
本実施形態に係る吸収性パッド１は、コアラップシート３０の上層面部のうち上層開口部２１及び下層開口部２２に重なる部分が上層開口部２１及び下層開口部２２を通ってコアラップシート３０の下層面部に接合される接合部と、を備えている。そして、トップシートのうち上層開口部２１及び下層開口部２２に重なる部分は、上層開口部２１及び下層開口部２２を通って接合部３５に接合されている。本実施形態に係る吸収性パッド１は、尿等の液体の逆戻りを抑制することができる。
【００４９】
また、上層吸収体１５には、高吸収性重合体（ＳＡＰ）が含まれていてもよい。吸収性パッド１は、上層吸収体１５にＳＡＰが含まれることによって、より肌に近い領域に存在する水分を当該ＳＡＰが吸収して保持し、逆戻りを抑制することができる。
【００５０】
なお、上記実施形態及び実施例では、吸収性パッド１が例示されていたが、その他の形態の吸収性物品においても上記構成を適用可能である。上記構成を適用可能な吸収性物品としては、例えば、パンツ型の使い捨ておむつ、テープ型の使い捨ておむつ、尿パッド、軽失禁パッドといったギャザー付きの各種形態の吸収性物品や、ギャザーの無いフラットな吸収性物品を挙げることができる。
【符号の説明】
【００５１】
１、１００・・吸収性パッド：３・・前身頃領域：５・・股下領域：７・・後身頃領域：１１・・トップシート：１３・・バックシート：１４・・吸収体：１５・・上層吸収体：１７・・下層吸収体：２１・・上層開口部：２２・・下層開口部：２３Ｌ・・ＳＡＰ層：２３Ｒ・・ＳＡＰ層：３０・・コアラップシート：３１・・上層シート：３３・・下層シート：３５・・接合部
【図１】
2020089476.tif 000003
【図２】
2020089476.tif 000004
【図３】
2020089476.tif 000005
【図４】
2020089476.tif 000006